(57)【要約】【課題】  ガス放電ランプ用の安定器を提供する。【解決手段】  直流−交流インバータ（１３）の一対の直列に接続されたスイッチ（Ｑ１，Ｑ２）を制御するためにＩＣ制御をベースとしたゲート駆動回路を使用する種類のガス放電ランプ（１４）用安定器、すなわち、電力供給回路（１）を提供する。より具体的には、位相制御減光器（３）の要件を満たすために広範囲の電源電圧から連続的な入力電流を引き出す共振帰還回路（１９）を有する安定器（１）を提供する。更により具体的には、位相減光回路（３）と共に安定器（１）及び放電ランプ（１４）を使用する位相減光式放電照明のための汎用プラットフォームを提供する。【選択図】        図１
2005197231.tif 000002
【特許請求の範囲】
【請求項１】
入力電圧を整流する入力整流器回路（１２）と、
前記入力整流器回路から整流後の入力電圧を受け取り、且つ減光可能な光を生じさせるために放電ランプ（１４）に電圧及び／又は電流を供給する電圧インバータ回路（１３）と、
前記電圧インバータ回路（１３）の動作を制御する制御器（１６）と、
高減光動作を可能にするために前記放電ランプ（１４）から前記電圧インバータ回路（１３）へエネルギを帰還する活状態保持帰還回路（１９）と、
を有する電子式安定器。
【請求項２】
前記活状態保持帰還回路（１９）は前記エネルギを帰還するためにコンデンサ（Ｃ５）を利用している、請求項１記載の安定器。
【請求項３】
前記入力整流器（１２）は複数のダイオードを有しており、更に、前記活状態保持帰還回路（１９）は、前記複数のダイオードの少なくとも１つが常に導電するように保証するために、前記整流器回路及び前記放電ランプ（１４）の両方に接続されたコンデンサ（Ｃ５）を有している、請求項１記載の安定器。
【請求項４】
前記安定器は更に、前記整流器回路（１２）に接続されていて、実質的に一定の電圧を前記制御器に供給する定電圧供給回路（１７）を含んでおり、前記定電圧供給回路は、高減光動作により入力電流が低いときに、放電ランプ（１４）の電圧を使用して前記実質的に一定の電圧を供給する、請求項１記載の安定器。
【請求項５】
前記入力整流器回路（１２）は、入力電圧の周波数よりも高い周波数で動作する複数のダイオード（Ｄ１〜Ｄ４）を含んでおり、任意の所与の時点において、少なくとも１つのダイオードが前記活状態保持帰還回路により導電モードにある、請求項１記載の安定器。
【請求項６】
前記整流器回路（１２）は更に、放電ランプ（１４）の波高率を低減するためにコンデンサ（Ｃ３，Ｃ３’）を含んでいる、請求項５記載の安定器。
【請求項７】
請求項１に記載の電子式安定器と、前記放電ランプ（１４）とを有する減光可能な放電照明装置であって、入力電圧を供給するために減光回路に接続されたときに減光可能な光を生じることを特徴とする減光可能な放電照明装置。
【請求項８】
減光回路（３）からの入力電圧を整流する入力整流器回路（１２）と、
固体スイッチ（Ｑ１，Ｑ２）を持っていて、前記入力整流器回路（１２）から整流後の入力電圧を受け取り、且つ減光可能な光を生じさせるために放電ランプ（１４）に電圧／電流を供給する電圧インバータ回路（１３）と、
前記電圧インバータ回路（１３）の動作を制御する制御器と、
高減光動作を可能にするために前記放電ランプ（１４）から前記電圧インバータ回路（１３）へエネルギを帰還する活状態保持帰還回路（１９）と、
前記制御器に実質的に一定の電圧を供給する定電圧供給回路（１７）とを有し、
前記定電圧供給回路（１７）は、放電ランプ（１４）の電圧を使用して、前記減光回路（３）の高減光動作の際に実質的に一定の電圧を発生し、更に、前記定電圧供給回路（１７）は、前記インバータ回路（１３）の前記電圧／電流を使用して、前記減光回路（３）の低減光動作の際に前記実質的に一定の電圧を発生すること、を特徴とする電子式安定器。
【請求項９】
前記入力整流器回路（１２）は、
入力電圧の周波数よりも高い周波数で動作する複数のダイオード（Ｄ１〜Ｄ４）であって、任意の所与の時点において、少なくとも１つのダイオードが前記活状態保持帰還回路（１９）により導電モードにある、当該複数のダイオード（Ｄ１〜Ｄ４）と、
放電ランプ（１４）の波高率を低減するためにコンデンサ（Ｃ３，Ｃ３’）と
を含んでいる、請求項８記載の安定器。
【請求項１０】
前記定電圧供給回路（１７）は、前記インバータ回路（１３）に接続されていて、前記インバータ回路（１３）の電圧に基づいて第１の電流を生成する第１のコンデンサ（Ｃ９）と、放電ランプ（１４）に接続されていて、前記放電ランプ（１４）の電圧に基づいて第２の電流を生成する第２のコンデンサ（Ｃ８）とを含んでおり、
前記定電圧供給回路（１７）は前記第１の電流と前記第２の電流とを加算して、前記実質的に一定の電圧を発生する、請求項９記載の安定器。
【発明の詳細な説明】
【技術分野】
【０００１】
本発明は、直流−交流インバータの一対の直列に接続されたスイッチを制御するためにＩＣ制御をベースとしたゲート駆動回路を使用する種類のガス放電ランプ用安定器、すなわち、電力供給回路に関するものである。より具体的に述べると、本発明は、位相制御減光器の要件を満たすために広範囲の電源電圧から連続的な入力電流を引き出す共振帰還回路を有する安定器に関するものである。更により具体的に述べると、本発明は、位相減光回路と共に安定器及び放電ランプを使用する位相減光式放電照明のための汎用プラットフォームに関するものである。
【背景技術】
【０００２】
位相制御型の減光可能な安定器は、フォトセル、運動検出器及び標準的な壁付け減光器に使用するためのそれらの能力により、産業界において人気が高まっている。
【０００３】
Ｄ級コンバータによる蛍光ランプの調光（減光）は、ランプ電流の調整又は放電ランプの電力の調整のいずれかによって行われている。冷陰極蛍光ランプ（ＣＣＦＬ）の場合、減光範囲を拡大するためにパルス幅変調（ＰＷＭ）手法が通常使用されている。この手法は、ＣＣＦＬを全定格ランプ電流でパルス駆動して、該ランプが全定格電流で動作する時間の百分率を変化させることによって光強度を変調する。このようなシステムは閉ループ又は開ループ・システムにより動作させることができる。しかしながら、それを熱陰極蛍光ループに適応させることは容易でない。
【０００４】
熱陰極ランプの減光を適切にするため、光強度を低減するにつれて、陰極の加熱を増大させることが必要である。加熱が不適切である場合、ランプを減光させるにつれて、陰極スパッタリングが増大する。また、ランプ・アーク波高率は、定格ランプ寿命を維持するために、殆どの減光範囲にわたって１．７未満であるべきである。波高率が高ければ高いほど、ランプの寿命はより短くなる。ＰＷＭ手法はこれらの問題に対処していず、従って、該手法はこれまでＣＣＦＬ用途に制限されている。
【０００５】
可変周波数減光を備えたＤ級インバータ・トポロジイは、ランプの予熱、点灯及び減光に使用するために照明業界によって広く受け入れられている。このようなトポロジイの利点としては、それに限定されないが、（１）ランプ寿命を延長するプログラム可能な始動シーケンスを実施するのが容易であること、（２）ランプ回路網の設計が簡単になること、及び（３）ランプを減光するときに陰極の加熱を増大させるためのコストが低いこと、（４）ランプ・アーク波高率を低くできること、（５）ランプ電流又はインバータに供給する平均電流のいずれかを調整することによってランプ電力を調整するのが容易であること、及び（６）インバータの共振周波数よりも高いスイッチング周波数で作動することによって、ゼロ電圧スイッチングを維持できること、が挙げられる。
【０００６】
白熱ランプの減光システムでは、減光は典型的には位相減光器（これは、トライアック減光器としても知られている）によって制御される。通常の種類の減光器は、電圧のゼロ交差の直後の各々の正又は負の半サイクルの一部分を阻止する。このクリップされた波形は電力及び減光信号の両方を負荷へ伝える。この減光器は、電力線路と直列に設置された壁スイッチの代わりに使用される。
【特許文献１】米国特許第６３３９２９８号
【発明の開示】
【発明が解決しようとする課題】
【０００７】
蛍光ランプの減光のために既存の位相減光器信号を使用することが望ましいと考えられる。既存のトライアック位相減光器を使用するように設計されたシステムは、トライアックの要件を満足させなければならない。該要件の一つが保持電流の仕様である。トライアックが導電状態にあるとき、トライアックを通る電流は、トライアックがオフに切り換わって電流を遮断することがないようにするために、特定の保持電流よりも高く維持しなければならない。
【０００８】
また、このようなシステムが、減光を行い且つ位相減光器に接続するために単一段設計を使用するようにして、低コストで、共振回路に掛かる電圧及び電流ストレスを最小にして提供されることも望ましいと考えられる。また更に望ましい面は、プログラム可能な始動シーケンスによりランプ寿命を延ばすことができるようにし、ランプ・アーク波高率を低くでき、且つ広い範囲にわたってゼロ電圧スイッチングを可能にする回路を提供することである。このようなシステムはまた、構成部品の数を少なくしてコンパクトな大きさにすると共に、異なる線路入力電圧及び電力に容易に適応し且つ異常な動作に対して適切な保護を行うべきである。
【０００９】
更に、現在存在する幾つかの解決策では、ピーク入力電圧の２倍の母線電圧を供給する電圧逓倍器を使用していることにより、高電圧部品の使用が必要とされている。この場合、必要とされる構成部品のコストが高いので、比較的高電圧の電源（２００Ｖ以上）を使用している国々において販売するための解決策を提供するのが困難である。高電圧電力系統（２００Ｖ以上）を支持し、しかも高電圧部品の使用を必要とせず、従って、コストを低減し、また世界市場で装置の使用を可能にするような設計を具現化することが望ましいと考えられる。
【００１０】
更にまた、幾つかの解決策は低電圧状態及び電圧変動に敏感であり、これらはトライアック保持電流の低下により高減光モードで動作を不安定にし、及び／又は高減光設定における低電流の流れにより装置自身の動作停止を招く恐れがある。従って、電圧変動及び過渡電圧に対して敏感でない改良した減光範囲を得るために高減光モードを支える解決策が望ましい。
【課題を解決するための手段】
【００１１】
本発明では、入力電圧を整流する入力整流器回路と、前記入力整流器回路から整流後の入力電圧を受け取り、且つ減光可能な光を生じさせるために放電ランプに電圧／電流を供給する電圧インバータ回路と、前記電圧インバータ回路の動作を制御する制御器と、高減光動作を可能にするために放電ランプから前記電圧インバータ回路へエネルギを帰還する活状態保持(keep-alive)帰還回路とを有する電子式安定器を提供する。
【００１２】
本発明ではまた、入力電圧を整流する入力整流器回路と、前記入力整流器回路から整流後の入力電圧を受け取り、且つ減光可能な光を生じさせるために放電ランプに電圧／電流を供給する電圧インバータ回路と、前記電圧インバータ回路の動作を制御する制御器と、前記制御器に実質的に一定の電圧を供給する定電圧供給回路とを有する電子式安定器を提供する。定電圧供給回路は、低入力電流及び高入力電流の両方において実質的に一定の電圧を供給する
本発明では更にまた、減光回路からの入力電圧を整流する入力整流器回路と、固体スイッチを持っていて、前記入力整流器回路から整流後の入力電圧を受け取り、且つ減光可能な光を生じさせるために放電ランプに電圧／電流を供給する電圧インバータ回路と、前記電圧インバータ回路の動作を制御する制御器と、高減光動作を可能にするために放電ランプから前記電圧インバータ回路へエネルギを帰還する活状態保持帰還回路と、前記制御器に実質的に一定の電圧を供給する定電圧供給回路とを有する電子式安定器を提供する。
【００１３】
定電圧供給回路は、放電ランプの電圧を使用して、減光回路の高減光動作の際に実質的に一定の電圧を発生する。更に、定電圧供給回路は、インバータ回路の電圧／電流を使用して、減光回路の低減光動作の際に実質的に一定の電圧を発生する。
【発明を実施するための最良の形態】
【００１４】
位相減光式放電照明安定器のための新規な汎用プラットフォームは、コストを低減した、高性能の減光可能なＣＦＬにおける世界的な市場のための、従来の「逓倍器回路トポロジイ」に代わる新しいプラットフォームである。この新しいプラットフォームは蛍光灯又は他の放電照明装置に使用して、白熱ランプに比べてエネルギを節約することができ、しかも家庭内及び事務所用建物内での用途のために柔らかい一様な照明を提供することができる。
【００１５】
このプラットフォームは、唯一つのエネルギ蓄積素子を使用する単一段に基づくトポロジーを利用する。該プラットフォームは比較的低い母線電圧を特徴とし、これにより低コストで高効率のスイッチング・デバイスを使用することが可能になる。該プラットフォームは、トライアック制御を利用して、入力母線における大きな電圧変動に拘わらずＩＣ制御器に直流バイアスを供給する内蔵の定電力供給回路を有する。
【００１６】
図１は、位相減光式放電照明安定器及びランプのための汎用プラットフォームの主要な機能回路を、主要な外部接続部及び回路間の主な相互接続部と共に示すブロック図である。装置１は外部の位相減光器３に接続され、位相減光器３は典型的にはユーザ４によって調節される。位相減光器３は典型的には外部電源２に接続される。外部電源２としては、とりわけ交流１１０／１２０Ｖ系統及び交流２１０／２２０／２４０Ｖ系統を含む広範囲の消費者及び／又は工業用電力系統が許容可能である。従って、装置１は世界中で使用するように設計することができる。
【００１７】
装置１は、外部の位相減光器回路に接続されているフューズ及びＥＭＩフィルタ１１を有する。フューズ及びＥＭＩフィルタ１１は、濾波した電力を汎用位相減光器コンパチブル回路１２に供給し、入力実効電圧検知／最小電圧遮断回路１５が入力電圧を監視する。汎用位相減光器コンパチブル回路１２の整流器は入来する電圧を整流し、従って、装置１内の他の回路のための直流電源を構成する。他方、入力実効電圧検知／最小電圧遮断回路１５は入力電圧、従って、位相減光器３の減光設定値を監視して、その結果を減光制御ＩＣ１６の制御器に供給する。制御器は装置１についての主制御を行う。
【００１８】
汎用位相減光器コンパチブル回路１２の整流器は、ユーザによって使用される様々な位相減光器に適合でき、また、プラットフォームは、異なる電圧供給系統を持つ様々な国において妥当なコストで装置を使用可能にするように設計することができる。更に、整流器１２は直流電流及び電圧を電圧源インバータ回路１３に供給し、電圧源インバータ回路１３は減光制御ＩＣ１６によって制御される。
【００１９】
電圧源インバータ回路１３は、汎用位相減光器コンパチブル回路１２からの直流電圧を、放電ランプ１４に供給される交番電流（交流）のような高周波電圧／電流パルスに変換する。インバータ回路１３の出力パルスは、ランプ１４をトリガして光を発生させ且つランプ電流を所望の減光レベルに調整するのに充分である。
【００２０】
定電圧供給回路１７は減光制御ＩＣ１６の制御器に一定の電圧を供給する。更に、定電圧供給回路１７は、ユーザが位相減光器３を高減光モードで動作させている際に、制御器１６への電圧の供給が制御器１６を有効な状態に保持するのに必要な最小電圧よりも低下させないように適応する。この適応性がないと、高減光モードにおいて、位相減光器３からの入力電圧が低すぎて、インバータ回路１３が制御器１６にパワーを供給して制御器１６を動作し続けさせるのに充分な電圧を供給できないときに、制御器１６は装置１を運転停止させることになる。従って、回路１７がない場合、プロセッサ１６は高減光モードにおいて装置を運転停止させることになる。適応性があると、装置１はより広い減光範囲で動作することが可能である。これは、位相減光器が低減光モードで作動されているときの問題ではない。と云うのは、その状態では、回路１７からの付加的な電流が、減光制御ＩＣ１６を適正に動作し続けさせるように充分大きいからである。この結果として、定電圧供給回路１７は、装置によって支えることのできる減光範囲を拡大する。
【００２１】
ランプ電流又は電力検知回路１８は放電ランプ１４の電流、電圧又は両方（従って、電力）を検知し、その情報を減光制御ＩＣ１６の制御器に供給して、制御器１６の監視及び制御動作を支えるようにする。更に、入力実効電圧検知／最小電圧遮断回路が入力電圧についての情報、従って位相減光器３の減光設定値を、制御器１６へ供給する。これらの入力は、制御器１６が位相減光器３によって設定されたような所望の減光レベルについて適切な周波数及び電圧でインバータ回路１３を適切に制御するのに役立つ。従って、制御器は、位相減光器３の設定値に基づいて適切な減光レベルにインバータ回路１３を設定することができる。更に、制御器１６は、ランプ寿命を延長させるためのプログラム可能な始動シーケンスを有し、且つ感知した実効値が最小設定レベルである場合にインバータ回路を不作動にする（遮断する）ことができる。ここで、図１には必ずしも全ての制御接続部が示されていないことに注意されたい。
【００２２】
最後に、活状態保持帰還回路１９は、装置１が位相減光器３によって供給される電流を活状態保持(keep-alive)するのに充分な電流を位相減光器３から引き出すことを保証するために設けられる。典型的な位相減光器回路は構成部品として１つ又は複数のトライアックを利用しており、トライアックは導電モードに留まるために最小保持電流（すなわち、活状態保持電流）を必要とする。活状態保持帰還回路１９が無い場合、減光（すなわち、断続電圧波形）電流）モードで、装置１が不充分な電流を引き出すことがあり、その結果、減光時にトライアックが遮断して装置１を運転停止させることになり、そのため、減光器が再トリガして、ユーザにちらつきとして観察される動作を生じさせる。帰還回路１９を付加することにより、装置１は、帰還回路１９が無い場合よりも広い減光範囲にわたって安定に動作することができる。
【００２３】
図２は、装置１内の回路の多くを主な電気接続と共に詳しく示しているが、制御用の接続は通常示していない。図２において、位相減光器３が電源２の給電線路側に挿入されており、また電源２の出力が、インダクタＬ１とコンデンサＣ１及びＣ２とを有するＥＭＩフィルタに接続されている。コンデンサＣ１及びＣ２はまた汎用位相減光器コンパチブル回路１２に使用される。従来の全波整流ブリッジ回路とは異なって、ブリッジ・ダイオードＤ１、Ｄ２、Ｄ３及びＤ４は、この場合、通常、入力線路サイクルの大部分にわたって線路周波数の代わりに高周波数モードで動作する。
【００２４】
汎用位相減光器コンパチブル回路１２は、任意の所与の時点で少なくとも１つのダイオードが導電しているように設計されている。これはコンデンサＣ５によって生じており、コンデンサＣ５は活状態保持帰還回路として動作して、常に少なくとも１つのダイオードを導電状態に保持するように帰還エネルギを供給する。ブリッジ・ダイオードの作用は、Ｃ５からの共振帰還電流によって滑らかにターン・オン及びオフされる。従って、コンパチブル回路１２は位相減光器３から実質的に連続した入力電流を流れさせる。また回路１２は、各半線路サイクルにおいて位相減光器３内のトライアックの最小保持電流より高い電流レベルがある場合、該電流レベルを維持するように設計されている。従って、活状態保持電流が所要の最小値よりも低下した場合にトライアックがオフに切り換わり、次いで電流が上昇したときにトライアックが再トリガされることに起因した、放電ランプ１４の不所望なちらつきが防止される。このように、Ｃ５の追加は、装置１により行うことのできる望ましい減光動作の範囲を増大させて、装置を白熱照明の場合により近づける。
【００２５】
実効共振コンデンサの変動を低減することによってランプの波高率を改善するために、コンデンサＣ３が汎用位相減光器コンパチブル回路１２の一部として設けられる。また、相互接続する回路の動作を釣り合わせるために２つのコンデンサＣ１及びＣ２が使用される。しかしながら、回路は唯一つのコンデンサで動作させることが可能である。インバータ回路は基本的に典型的な直列共振並列負荷電圧供給トポロジイを利用する。しかしながら、従来のものと異なり、コンデンサＣ５が、前に述べ且つ以下に述べる目的のために、図示のようにＣ１及びＣ２の中心に逆接続されている。
【００２６】
代替例として、Ｃ３の代わりに、コンデンサＣ３’を図示のように回路に付加することができる。動作はＣ３について前に述べ且つ以下に述べるものと同様である。典型的にはＣ３及びＣ３’の一方のみが必要である。
【００２７】
インバータ回路が動作を開始したとき、コンデンサＣ５を介して共振電流が高い周波数でコンデンサＣ３を充電及び放電するように帰還され、従って、汎用位相減光器コンパチブル回路１２へエネルギを帰還する。図３に示されているように、入力ブリッジがＤ１電流波形のピーク電荷部分３４にあるとき、交流電源からの入力がコンデンサＣ４の両端間の母線電圧よりも高くなる。従って、交流電源は、電源電圧によりコンデンサＣ４を直接に充電する。保持電流部分３５，３３の間に、交流入力電源はコンデンサＣ４上の電荷値よりも低い値に降下する。この時点で、コンデンサＣ５からの電流が入力電流の主要部分を供給する。コンデンサＣ５によって供給される電流量は、回路の他の構成部品に関連したコンデンサの大きさに依存する。このようにして、電流３１、３７及び３８はトライアック遮断レベルよりも高く保持され、ダイオードＤ１、Ｄ２、Ｄ３及びＤ４は電流３７及び３８で高周波スイッチング・モードにあり、且つ電流３１で低周波スイッチング・モードにある。ＥＭＩフィルタは、帰還電流３８、３７及び３１の高周波成分が減光器３に又は入力電力源２へ逆に結合しないことを保証する。更に、入力電流が低下している期間３２及び３６は、短すぎてトライアックを再トリガすることができない。従って、減光器３のトライアックはちらつきを生じさせることなく減光モードで導電状態に留まる。
【００２８】
電圧源インバータ回路１３は、放電ランプ１４に給電する高周波電流源を形成して、ランプを放電させて、殆どのユーザにとって目に見えるちらつきを生じさせないほどに充分に高い周波数で光を発生させる。インバータ回路１３は（例えば、ＦＥＴのような）固体スイッチＱ１及びＱ２を有し、これらの固体スイッチは制御器１６によって制御される。インダクタＬ２とコンデンサＣ６及びＣ７とが共振回路を形成して、上記スイッチと共に動作することにより、整流器１２によって供給される直流電圧を変換して、放電ランプ１４に供給する交番電圧を発生する。
【００２９】
制御器１６は入力実効電圧検知／最小電圧遮断回路１５及びランプ電流又は電力検知回路１８の両方から電圧及び／又は電流情報を入力して、装置１の状態及び位相減光器３の減光設定値を監視し、もって所望の減光レベルを与えるようにインバータ回路１３を設定する。実効電圧検知／最小電圧遮断回路１５及びランプ電流又は電力検知回路１８の動作及び設計は当該分野で知られている様々な解決策から導き出される。
【００３０】
位相減光器３のトライアックが光レベルを減じるように動作するとき、装置の母線電圧がトライアックの電圧のピークの出力につれて変化し、また減光制御ＩＣ１６に給電する直流バイアスが制御器１６の最小オフ設定値以下に低下し、従って、制御器１６の動作を停止させる恐れがある。この設計でコンデンサＣ８を介しての１つの供給電流のみが使用される場合、制御器１６は最も高い減光設定値でターン・オフするおそれがあり、且つ始動／オフ・シーケンスを繰り返す恐れがある。
【００３１】
図２に示されている回路は、ＩＣに供給される電力が定電圧供給回路１７から来るように改造されている。定電圧供給回路１７は、コンデンサＣ８，Ｃ９を有する高周波源と、ダイオードＤ５，Ｄ６，Ｄ７及びコンデンサＣ９を含む交流−直流変換回路とで構成されている。コンデンサＣ９は、母線電圧に直接関連し、従って、電源からのピーク入力電圧及び動作周波数に比例する電流の一部分を供給する。対照的に、Ｃ８からの電流は放電ランプ１４の電圧に関連しており、これはまた周波数にも依存している。従って、Ｃ８は低い電源ピーク電圧レベルで電力を供給する。これらの２つの電流源は、このように互いに相補的であり、従って、図示のように一緒に接続したとき、それらは、ランプ１４を減光するときに制御器１６に実質的に一定の電圧を供給する。従って、制御器１６の電源１７は、装置１に対する入力電圧に実質的に敏感でなくなり、その結果、制御器１６はより広い減光動作範囲にわたって動作することができ、従って、装置１は広い減光範囲を支える。
【００３２】
以上のように、装置１は、広範囲の様々な入力電圧で、より広い減光設定値範囲にわたる位相減光器３の減光設定値に基づいて放電ランプ１４の光出力を減じる。
【００３３】
以上、特定の例を用いて本発明を説明したが、当業者には、本発明の範囲から逸脱せずに、様々な代替例を用いることができ、また本書に述べた素子又はステップを等価なものに置換できることが理解されよう。本発明の範囲から離れることなく本発明を特定の状況又は特定の要求に適合させる変更が必要なこともある。本発明は本書で述べた特定の実施例に制限されず、全ての実施形態を文字通りに又は等価な形態も包含するように特許請求の範囲を最も広く解釈すべきである。
【図面の簡単な説明】
【００３４】
【図１】装置の主要機能回路を示すブロック図である。
【図２】装置の主要回路構成部品を示す回路図である。
【図３】装置の電流を時間に対して描いたグラフである。
【符号の説明】
【００３５】
１  装置
３１、３７、３８  電流
３２、３６  入力電流が低下している期間
３３、３５  保持電流部分
３４  ピーク電荷部分
【図１】
2005197231.tif 000003
【図２】
2005197231.tif 000004
【図３】
2005197231.tif 000005
【外国語明細書】
2005197231000001.pdf